(57)【要約】【課題】特定の周波数成分を効果的に導入する車両のパワートレーン音導入構造を提供する。【解決手段】パワートレーン音導入構造を、エンジン２１０を含むパワートレーン２００の一部に固定され、その内部にエンジン２１０の吸気管路２２０内と隔離された空間部を有する筒体３１０と、一方の端部を筒体３１０に接続され、他方の端部を車両１の車室１１０内に配置された管路３２０とを備える構成とし、エンジン２１０等の振動を加振源として筒体３１０内に発生した音を管路３２０を介して車室１１０内に導入する。この音の周波数成分は、筒体３１０及び管路３２０の長さ、材質、サイズ等によって適宜チューニングされる。【選択図】図１
2006342695.tif 000002
【特許請求の範囲】
【請求項１】
エンジンを含む車両のパワートレーンの一部に固定され、その内部に前記エンジンの吸気管路内と隔離された空間部を有する筒体と、
一方の端部を前記筒体に接続され、他方の端部を前記車両の車室内に配置された管路と
を備える車両のパワートレーン音導入構造。
【請求項２】
請求項１に記載の車両のパワートレーン音導入構造において、
前記筒体は、その一方の端部が閉塞されるとともに、他方の端部に前記管路が接続されること
を特徴とする車両のパワートレーン音導入構造。
【請求項３】
請求項１又は請求項２に記載の車両のパワートレーン音導入構造において、
前記筒体及び前記管路は複数設けられ、
複数の前記筒体、複数の前記管路の少なくとも一方は、それぞれ長さが異なること
を特徴とする車両のパワートレーン音導入構造。
【請求項４】
請求項１から請求項３までのいずれか１項に記載の車両のパワートレーン音導入構造において、
前記管路は、少なくとも一部が可撓性を有する材料によって形成されること
を特徴とする車両のパワートレーン音導入構造。
【発明の詳細な説明】
【技術分野】
【０００１】
本発明は、車両のパワートレーンに起因して発生する音を車室内に導入するパワートレーン音導入構造に関するものである。
【背景技術】
【０００２】
乗用車等の車両は、ユーザの嗜好に対応するため、エンジン等のパワートレーンが発生する音を搭乗者に聴こえやすくして、スポーティさや高性能感を演出するものが知られている。
例えば、車両は、エンジンの吸気管路の面積や形状を変化させて吸気音を変化させる吸気音可変手段を備え、加速時に吸気音がエンジン回転数の上昇に応じて増加するようにしたものが知られている（例えば、特許文献１）。
また、車両は、一方の端部をエンジンの吸気管路に接続され、他方の端部が車室内に連通して形成された吸気音導入通路を備え、加速時等にエンジンの吸気音を積極的に車室内に導入するものが知られている（例えば、特許文献２）。
【特許文献１】特開平１−１９０９５７号公報
【特許文献２】特開２０００−４５８９５号公報
【発明の開示】
【発明が解決しようとする課題】
【０００３】
しかし、エンジンの吸気音やシリンダ内の爆発等に伴う振動音は広範な周波数帯域を有する一方、車室内における演出に効果的な周波数帯域は、例えば２５０Ｈｚ近傍等の特定のものに限られることから、上述した従来技術のようにインテークダクト等の吸気系が発生する音を車室内にそのまま導入した場合、不要な周波数成分が含まれることによって、単なる騒音という印象をユーザに与えるおそれがあった。
上述した問題に鑑み、本発明の課題は、特定の周波数成分を効果的に導入する車両のパワートレーン音導入構造を提供することである。
【課題を解決するための手段】
【０００４】
本発明は、以下のような解決手段により、上述した課題を解決する。
請求項１の発明は、エンジンを含む車両のパワートレーンの一部に固定され、その内部に前記エンジンの吸気管路内と隔離された空間部を有する筒体と、一方の端部を前記筒体に接続され、他方の端部を前記車両の車室内に配置された管路とを備える車両のパワートレーン音導入構造である。
【０００５】
請求項２の発明は、請求項１に記載の車両のパワートレーン音導入構造において、前記筒体は、その一方の端部が閉塞されるとともに、他方の端部に前記管路が接続されることを特徴とする車両のパワートレーン音導入構造である。
請求項３の発明は、請求項１又は請求項２に記載の車両のパワートレーン音導入構造において、前記筒体及び前記管路は複数設けられ、複数の前記筒体、複数の前記管路の少なくとも一方は、それぞれ長さが異なることを特徴とする車両のパワートレーン音導入構造である。
請求項４の発明は、請求項１から請求項３までのいずれか１項に記載の車両のパワートレーン音導入構造において、前記管路は、少なくとも一部が可撓性を有する材料によって形成されることを特徴とする車両のパワートレーン音導入構造である。
【発明の効果】
【０００６】
本発明によれば、以下のような効果を奏することができる。
（１）パワートレーンの一部に筒体を固定することによって、エンジンの運転時にパワートレーンが発生する振動によって筒体が加振され、筒体及び管路の内部に音が発生するが、この音の周波数特性は、筒体及び管路の長さ、容量、材質、内径、厚さ等を変えることによって適宜チューニングすることができる。
このようにして発生した音を、車室内に伝搬させることによって、特定の周波数成分のパワートレーン音を効果的に導入することができる。
また、筒体は、その内部がエンジンの吸気管路内と隔離されているから、エンジンの吸気性能等を考慮することなく上述した音響特性のチューニングをすることができ、設計上の自由度が向上する。
（２）筒体の一方の端部を閉塞し、その他方の端部に管路を接続することによって、筒体及び管路の内部に気柱共鳴による連続的な定在波が形成され、筒体が加振されて生じた音を効率よく伝達することができる。
（３）長さが異なった複数の筒体、管路を設けることによって、それぞれ異なった周波数帯域の音を発生させて車室内に導入することができ、音質のチューニングをより緻密に行うことができる。また、エンジン回転数の変化に応じて音質が変化するチューニングを行うことができる。
（４）管路の少なくとも一部を、可撓性を有する材料によって形成することによって、エンジンマウント、トランスミッションマウント等の弾性変形に起因するパワートレーンの車体に対する変位を吸収することができる。
【発明を実施するための最良の形態】
【０００７】
本発明は、特定の周波数成分を効果的に導入する車両のパワートレーン音導入構造を提供するという課題を、エンジン本体にそのインテークシステムと独立して設けられ、エンジン等の振動によって加振される金属パイプを固定するとともに、一方の端部が金属パイプに接続され、他方の端部がトーボードに形成した開口を介して車室内に挿入されたフレキシブルホースを設けることによって解決する。
【実施例１】
【０００８】
以下、本発明を適用したパワートレーン音導入構造の実施例１について説明する。
図１及び図２は、実施例１のパワートレーン音導入構造の構成を示す概略図であって、それぞれ車両の側面側及び上方から見た状態を示す図である。
【０００９】
車両１は、例えばセダン型やステーションワゴン型の乗用車であって、キャビン（車室）１１０と、エンジンルーム１５０と、パワートレーン２００と、パワートレーン音導入部３００とを備えている。
キャビン１１０は、搭乗者等が収容される居室であって、トーボード１１１、バルクヘッド１１２、フロアパネル１１３、フロアトンネル１１４を備えている。また、キャビン１１０は、その内部に、ダッシュボード１１５、ステアリングシャフト１１６、ステアリングサポートビーム１１７を備えている。
【００１０】
トーボード１１１は、キャビン１１０の前端部に設けられ、キャビン１１０とエンジンルーム１５０とを区画する隔壁であって、前席搭乗者の足元及びその上部に相当する位置に設けられている。また、トーボード１１１のキャビン１１０内側の面部には、部分的に遮音材（インシュレータ）１１１ａが貼付されている。
【００１１】
トーボード１１１は、その一部に後述するパワートレーン音導入部３００のフレキシブルホース３２０が挿入される開口１１１ｂが形成されている。開口１１１ｂは、キャビン１１０内側から見て、ダッシュボード１１５の内側でありかつステアリングサポートビーム１１７の下側の領域に配置されている。また、上述したインシュレータ１１１ａは、開口１１１ｂの周辺部を避けて配置されている。
【００１２】
バルクヘッド１１２は、トーボード１１１の上部からエンジンルーム１５０内側に突き出して設けられ、上部が開口したトレー状の部材であって、その内部に図示しないワイパモータ等を収容する空間部を備えている。
フロアパネル１１３は、キャビン１１０の床面部であって、トーボード１１１の下端部から車両１の後方側へ延在し、トーボード１１１に対して連続して形成されている。
フロアトンネル１１４は、フロアパネル１１３の車幅方向における中央部を車内側（上方側）に凹ませて、車両１の前後方向に延在して形成されている。フロアトンネル１１４は、その内部に形成される空間部に、後述するトランスミッション２３０の後部、図示しないプロペラシャフト、エキゾーストパイプ等を収容するものである。
上述したトーボード１１１、バルクヘッド１１２、フロアパネル１１３、フロアトンネル１１４は、それぞれ例えば鋼板をプレス加工して形成され、車体モノコックの一部を構成するものである。
【００１３】
ダッシュボード１１５は、トーボード１１１のキャビン１１０内側に備えられ、図示しない空調装置、計器類、オーディオ機器、ＳＲＳ助手席エアバッグ等を収容するものであって、その上端部は、フロントガラスの下端部に沿って形成され、下端部側は車室内側に開口している。
ステアリングシャフト１１６は、ステアリングホイールと図示しないステアリングギアボックスとを接続する回転部材であって、その一部が上述したダッシュボード１１５内に配置されている。
ステアリングサポートビーム１１７は、ダッシュボード１１５内に設けられ、車幅方向に延在して配置された梁状の構造部材であって、ステアリングシャフト１１６を収容する図示しないステアリングコラム等を支持するものである。
【００１４】
エンジンルーム１５０は、キャビン１１０に対して車両１の前方側に設けられ、パワートレーン２００が収容される空間部を備えている。
【００１５】
パワートレーン２００は、エンジン本体２１０と、インテークシステム２２０と、トランスミッション２３０とを備えている。このパワートレーン２００は、車体側への振動伝搬を低減するため、例えばゴム等の弾性材を有する図示しないエンジンマウント、トランスミッションマウント等を介して車体に支持されている。
エンジン本体２１０は、例えば４ストロークのガソリンエンジンであって、例えば水平対向４気筒の自然吸気エンジンであるが、エンジンの形式はこれに限らず、その運転時に燃焼室内での爆発、吸気脈動、排気脈動、その他の機械的振動等によって周期的な振動を発生するものであればよい。
【００１６】
インテークシステム（吸気管路） ２２０は、インテークダクト２２１、レゾネータ２２２、エアクリーナケース２２３、サイドブランチ２２４、チャンバ２２５、スロットルボディ２２６、インテークマニホールド２２７を備えている。
【００１７】
インテークダクト２２１は、外気からエンジン本体２１０の燃焼に用いられる空気（新気）を取り込むものであって、その一方の端部に外気に開放された吸気口を備え、他方の端部は、エアクリーナケース２２３に接続され、その内部に連通している。
レゾネータ２２２は、インテークダクト２２１の側壁部に形成された図示しない開口部に接続された容器状の部材であって、吸気脈動に起因するインテークダクト２２１内の圧力変動を加振源とするヘルムホルツ共鳴室として機能し、吸気音のチューニングに用いられるものである。
【００１８】
エアクリーナケース２２３は、容器状に形成され、その内部にインテークダクト２２１から導入された空気中に含まれる微細なダスト等を濾過する図示しないエアクリーナエレメントが収容されている。
ブランチ管２２４は、エアクリーナケース２２３から出た空気をチャンバ２２５に導入する吸気管路から分岐して設けられ、その先端部を閉塞された管路であって、その内部に発生する気柱共鳴を利用して吸気音のチューニングに用いられるものである。
【００１９】
チャンバ２２５は、エアクリーナケース２２３とスロットルボディ２２６との間に設けられ、例えば樹脂等の材料によって容器状に形成された共鳴室であって、公知の共鳴過給効果を発揮することによって、エンジン本体２１０の出力を向上するものである。チャンバ２２５は、エンジン本体２１０の上部であってかつキャビン１１０のトーボード１１１の前部に配置され、図示しないステーを介してエンジン本体２１０に固定されている。
【００２０】
スロットルボディ２２６は、チャンバ２２５とインテークマニホールド２２７との間に備えられ、図示しないスロットルペダル等の操作部に入力された操作に応じて、エンジン本体２１０の吸気量を制限する図示しないスロットルバルブを収容するものである。
インテークマニホールド２２７は、スロットルボディ２２６の下流側に接続され、エンジン本体２１０の図示しない各気筒の吸気ポートにそれぞれ接続された分岐管を備えている。
【００２１】
トランスミッション２３０は、エンジン本体２１０の後方側に図示しない複数のボルトによってリジットに結合され、エンジン本体２１０の回転出力を減速又は増速する変速部、変速部の出力を前後輪側に分配するトランスファ部、トランスファ部の回転出力を左右前輪のドライブシャフトに伝達するフロントデファレンシャル部を、例えば鋳造鋼によって形成されたケース内に収容したものである。
【００２２】
パワートレーン音導入部３００は、金属パイプ３１０と、フレキシブルホース３２０とを備えている。
金属パイプ３１０は、円筒状に形成され、その一方の端部が閉塞され、他方の端部にフレキシブルホース３２０が接続されている。金属パイプ３１０は、略ストレートでありかつ外径、内径が長手方向にわたって略一定に形成され、その長手方向を車両１の前後方向に略沿わせて配置されている。金属パイプ３１０は、エンジン本体２１０の例えばシリンダブロック又はシリンダヘッドの上面部に対して図示しないステーを介してリジットに固定されている。金属パイプ３１０は、図２に示すように、例えば、エンジン本体２１０の左側シリンダヘッドの上部に隣接して配置されている。
【００２３】
フレキシブルホース３２０は、例えばゴム系材料等の可撓性を有する材料によって円管状に形成された管路である。フレキシブルホース３２０は、車両１の略前後方向に延在し、その車両前方側の端部が金属パイプ３１０の車両後方側の端部に接続されるとともに、車両後方側の端部がトーボード１１１の開口１１１ｂを介してキャビン１１０内に挿入されている。
【００２４】
フレキシブルホース３２０は、金属パイプ３１０側の端部においては、金属パイプ３１０内と連通している。また、フレキシブルホース３２０は、キャビン１１０内側の端部開口を介してキャビン１１０内と連通している。このフレキシブルホース３２０のキャビン１１０内側の端部は、ダッシュボード１１５の内部に配置されている。
【００２５】
次に、実施例１のパワートレーン音導入構造の動作について説明する。
エンジン本体２１０は、その運転時に、燃焼室内での爆発、吸気脈動、排気脈動、その他の機械的振動等の振動が発生する。このような振動は、例えばクランクシャフトの回転毎に発生する１次成分から、その倍数の周波数を有する高次成分までを含む広範な周波数分布を有し、また、この周波数分布は、エンジン本体２１０の回転数に応じて変化する。
【００２６】
エンジン本体２１０の振動は、ステーを介して金属パイプ３１０に伝達され、これによって金属パイプ３１０は加振される。金属パイプ３１０が加振されると、その内部に金属パイプ３１０の固有振動数に相当する周波数成分が強調された音（パワートレーン音）が発生し、金属パイプ３１０及びフレキシブルホース３２０内に気柱共鳴が発生する。そして、この音は、フレキシブルホース３２０内を伝搬し、そのキャビン１１０内側の端部からキャビン１１０内に導入される。
【００２７】
ここで、金属パイプ３１０及びフレキシブルホース３２０は、その長さ、容量、材質、内径、厚さ等が、キャビン１１０内へ導入すべきパワートレーン音の周波数を考慮して設定されている。
このような周波数は、例えばユーザに車両１の高性能感を訴求する演出効果を考慮して設定されるものであり、例えば、２５０Ｈｚ近傍に設定されている。
【００２８】
以上のように、実施例１によれば、以下の効果を奏することができる。
（１）エンジン本体２１０に金属パイプ３１０を備えることによって、その運転時にパワートレーン２００が発生する振動によって金属パイプ３１０が加振され、金属パイプ３１０及びフレキシブルホース３２０の内部に音が発生するが、この音の周波数特性は、金属パイプ３１０及びフレキシブルホース３２０の長さ、容量、材質、内径、厚さ等を変えることによって適宜チューニングすることができる。
このようにして発生した音を、車室内に伝搬させることによって、特定の周波数成分のパワートレーン音を効果的に導入することができる。
また、金属パイプ３１０は、インテークシステム２２０と独立して設けられているから、音響特性のチューニングに際してエンジンの吸気性能等を考慮する必要がなく、設計上の自由度が向上する。
（２）金属パイプ３１０の一方の端部を閉塞し、他方の端部にフレキシブルホース３２０を接続することによって、金属パイプ３１０及びフレキシブルホース３２０の内部に気柱共鳴による連続的な定在波が形成され、金属パイプ３１０が加振されて生じた音を効率よく伝達することができる。
（３）フレキシブルホース３２０を可撓性を有する材料を用いて形成することによって、エンジンマウント、トランスミッションマウント等の弾性変形に起因するパワートレーン２００の車体に対する変位を吸収することができる。
【実施例２】
【００２９】
次に、本発明を適用した車両のパワートレーン音導入構造の実施例２について説明する。以下、上述した実施例１と同様の部分については同じ符号を付して説明を省略し、主に相違点について説明する。
図３は、実施例２のパワートレーン音導入構造の構成を示す概略図であって、車両の上方から見た状態を示す図である。
【００３０】
実施例２のパワートレーン音導入構造は、音響特性が異なる例えば１対のパワートレーン音導入部３００ａ，３００ｂを備えている。
パワートレーン音導入部３００ａ，３００ｂは、それぞれ金属パイプ３１０ａ，３１０ｂ、フレキシブルホース３２０ａ，３２０ｂを備えている。
【００３１】
金属パイプ３１０ａ，３１０ｂは、エンジン本体２１０の上面部に車幅方向に配列され、その長手方向が車両１の前後方向に略沿った状態で平行に配置されている。また、金属パイプ３１０ａは、その長さが金属パイプ３１０ｂよりも長く形成されている。
フレキシブルホース３２０ａ，３２０ｂは、それぞれ金属パイプ３１０ａ，３１０ｂの車両後方側の端部にその前端部を接続され、略平行に車両１の前後方向に配置されている。フレキシブルホース３２０ａ，３２０ｂは、その車両後方側の端部が、トーボード１１１に隣接して形成された１対の開口を介してそれぞれキャビン１１０内に挿入されている。ここで、フレキシブルホース３２０ａは、そのトーボード１１１からのキャビン１１０内側への突出長さがフレキシブルホース３２０ｂよりも大きく形成されている。
【００３２】
以上説明した実施例２によれば、実施例１と同様の効果に加えて、長さが異なった金属パイプ３１０ａ，３１０ｂ及びフレキシブルホース３２０ａ，３２０ｂを備えているから、各パワートレーン音導入部３００ａ，３００ｂにおいてそれぞれ異なった周波数特性の音を発生させてキャビン１１０内に導入することができ、音質のチューニングをより緻密に行うことができる。例えば、金属パイプ、フレキシブルホースの少なくとも一方を長くすることによって、導入される音の周波数を低くすることができる。
また、周波数特性が異なった複数のパワートレーン音導入部３００ａ，３００ｂを設けることによって、エンジンの回転数毎に音質が変化する演出を行うことができる。
【００３３】
（変形例）
本発明は、以上説明した実施例に限定されることなく、種々の変形や変更が可能であって、それらも本発明の均等の範囲内である。
（１）各実施例は、筒体をエンジン本体に固定し、その振動によって加振しているが、これに限らず、筒体はエンジンの運転に起因して振動する他の部分に固定するようにしてもよい。このような固定箇所は、車室内に導入すべき音の周波数を含む振動が発生する箇所であればよく、例えば、筒体をトランスミッションやインテークシステム、エキゾーストシステム等に固定し、これらの振動によって加振するようにしてもよい。
（２）各実施例は、筒体として金属パイプを用いているが、これに限らず、例えば樹脂系材料等の他の材料によって形成してもよい。また、その形状も各実施例のものに限定されず、例えば、湾曲した形状や、長さ方向に径が変化する形状としてもよい。
（３）各実施例は、管路をその全長にわたって可撓性を有する材料によって形成しているが、管路の一部のみを可撓性を有する材料によって形成してもよい。
（４）実施例におけるエンジンは、４ストローク４気筒のガソリンエンジンであるが、例えば、ＣＮＧ、メタノール、水素等の代替燃料を用いるエンジンや、ディーゼルエンジンであってもよい。さらに、シリンダの気筒数や配列もこれに限定されず、また、ヴァンケル式ロータリエンジン等のレシプロエンジン以外のエンジンであってもよい。
【図面の簡単な説明】
【００３４】
【図１】本発明を適用したパワートレーン音導入構造の実施例１の構成を示す概略図であって、車両の側方側から見た状態を示す図である。
【図２】図１のパワートレーン音導入構造の構成を示す概略図であって、車両の上方から見た状態を示す図である。
【図３】本発明を適用したパワートレーン音導入構造の実施例２の構成を示す概略図であって、車両の上方から見た状態を示す図である。
【符号の説明】
【００３５】
１    車両
１１０    キャビン
１１１    トーボード
１１１ｂ  開口
１１５    ダッシュボード
１５０    エンジンルーム
２００    パワートレーン
２１０    エンジン本体
２２０    インテークシステム
３００    パワートレーン音導入部
３１０    金属パイプ
３２０    フレキシブルホース
【図１】
2006342695.tif 000003
【図２】
2006342695.tif 000004
【図３】
2006342695.tif 000005